(57)【要約】【課題】近接された状態で配置されても、近接するＲＦタグ同士が電波受信において干渉しない物品管理システム及び方法を提供する。【解決手段】本発明の物品管理システムは、ＲＦタグを管理対象の物品に付加し、リーダにより各ＲＦタグをアクセスして、各物品を個別に管理するシステムであり、ＲＦタグがアンテナと、アンテナにより受信されるリーダから放射される電波の周波数に同調する同調回路と、同調回路の出力を検波する検波回路と、アンテナから応答信号を発信する送信部とを有し、リーダがＲＦタグとのデータの送受信を行う送受信回路と、ＲＦタグのタグ識別信号を管理する制御部とを有し、ＲＦタグが同調回路の同調動作を抑制する抑制手段を有する。【選択図】図１
2007213117.tif 000002
【特許請求の範囲】
【請求項１】
ＲＦタグを管理対象の物品に付加し、リーダにより各ＲＦタグをアクセスして、各物品を個別に管理する物品管理システムであり、
前記ＲＦタグが
アンテナと、
該アンテナにより受信される前記リーダから放射される電波の周波数に同調する同調回路と、
該同調回路の出力を検波する検波回路と、
前記アンテナから応答信号を発信する送信部と
を有し、
前記リーダが
前記ＲＦタグとのデータの送受信を行う送受信回路と、
前記ＲＦタグのタグ識別信号を管理する制御部と
を有し、
前記ＲＦタグが前記同調回路の同調動作を抑制する抑制手段を有することを特徴とする物品管理システム。
【請求項２】
前記抑制手段が、前記ＲＦタグがリーダからのデータを間欠受信する際、受信を休止している期間、前記同調回路の同調動作を抑制することを特徴とする請求項１記載の物品管理システム。
【請求項３】
前記抑制手段が同調周波数を変化させ、送受信に用いられる電波の周波数に対する同調動作を抑制させることを特徴とする請求項１または請求項２に記載の物品管理システム。
【請求項４】
前記抑制手段が前記同調回路のＱ値を低下させて、送受信に用いられる電波の周波数に対する同調動作を抑制させることを特徴とする請求項１または請求項２に記載の物品管理システム。
【請求項５】
前記リーダが、前記ＲＦタグの最大間欠フレーム受信の期間（受信モードの期間）に対して、充分に短い送信データ長にて、前記期間に比較して充分に長い時間、複数回にわたって、同一のアクセス信号を繰り返して発信することを特徴とする請求項１から請求項４のいずれかに記載の物品管理システム。
【請求項６】
ＲＦタグを管理対象の物品に付加し、リーダにより各ＲＦタグをアクセスして、各物品を個別に管理する物品管理システムに用いられるＲＦタグであり、
アンテナと、
該アンテナにより受信される前記リーダから放射される電波の周波数に同調する同調回路と、
該同調回路の出力を検波する検波回路と、
前記アンテナから内部に記憶される識別情報を発信する送信部と
を有し、
前記同調回路の同調動作を抑制する抑制手段を有することを特徴とするＲＦタグ。
【請求項７】
ＲＦタグを管理対象の物品に付加し、リーダにより各ＲＦタグをアクセスして、各物品を個別に管理する物品管理システムを動作させる方法であり、
前記ＲＦタグの動作において
電波をアンテナにより送受信する送受信過程と、
同調回路が該アンテナにより受信される前記リーダから放射される電波の周波数に同調させる同調過程と、
検波回路が前記同調回路の出力を検波する検波過程と、
送信部が前記アンテナから応答信号を発信する送信過程と、
抑制手段が前記同調回路の同調動作を抑制する抑制過程と
を有し、
前記リーダにおける動作において
送受信回路が前記ＲＦタグとのデータの送受信を行う送受信過程と、
制御部が前記ＲＦタグのタグ識別信号を管理する制御過程と
を有することを特徴とする物品管理方法。
【発明の詳細な説明】
【技術分野】
【０００１】
本発明は、管理対象の物品に対して、アクティブ型のＲＦ（Radio Frequency）タグを貼着し、ＲＦタグに記憶されている識別データにより、物品を管理する物品管理システム及び方法。
【背景技術】
【０００２】
近年、自身を識別する識別情報が記憶されたアクティブ型のＲＦタグを用い、書籍，ＣＤ，ＤＶＤ等の販売及び貸し出しに対する管理、また食品などの生産情報及び賞味期限の個別管理が行われている。また、同様に、郵便等の配送物に付加して、送達，配達，追跡調査及び保管等の管理を行うシステムに用いられている。以下、特に説明がない限り、本明細書においては、アクティブ型のＲＦタグを、単にＲＦタグとして説明を行う。
これらの管理において、ＲＦタグが自身の存在をリーダに対して通知する場合、ＲＦタグとして、バッテリを内蔵するアクティブタグが用いられる。
【０００３】
例えば、リーダに登録されているＲＦタグが電波を発していないことを所定の周期で監視し、電波を検出できないＲＦタグの付加された物品を消失（リーダの電波到達エリア外に出た）として認識する管理が行われている（特許文献１参照）。
【特許文献１】特開２００５−１６５５０５号公報
【発明の開示】
【発明が解決しようとする課題】
【０００４】
しかしながら、特許文献１に示すような従来のＲＦタグを使用した物品の管理装置にあっては、近接した場所にＲＦタグを複数置くことにより、近接したアンテナ同調回路同士が同一受信周波数であるため、ＲＦタグ間の干渉により、リーダからの電波によるアクセスを受信できないという問題がある。
例えば、郵便局内において、不在小荷物に取り付けたアクティブ型のＲＦタグをアクセスするため、少なくともリーダはＲＦタグから、各ＲＦタグを識別する識別情報（ＩＤ番号など）を発信し、各ＲＦタグはこのアクセス信号を受信する必要がある。
【０００５】
このとき、通常、アクティブ型のＲＦタグは、内蔵しているバッテリの寿命を延ばすために、受信電力を削減する目的で間欠受信機能を有している。そして、ＲＦタグの制御部は、通常休止モードとしておき、あらかじめ設定された周期において、内部の受信器を間欠的に起動する。起動後、この制御部は、その時点で受信された信号の検波出力をチェックし、受信データのＩＤ番号が自身のものでない場合やデータフォーマットが異なる場合、これらの状態が検出された時点にて、休止モードへ状態を遷移させる。
【０００６】
ところが、この手法であると、ＲＦタグ同士が干渉しない距離に離れておかれている場合には問題がないが、例えば、受け取り人が不在で、郵便局内のホルダにおいて郵送物をまとめて管理する等の場合、現金書留等の様な封筒にＲＦタグを付加して、１〜２ｃｍ以内に近接した状態で保管することとなる。
【０００７】
この配置状態においては、図９に示すように、ＲＦタグのアンテナ同士が非常に近接して配置されることにより、同調回路同士が空間電磁波エネルギを分け合い、双方の感度低下による受信不能状態を起こす場合がある。また、リーダから見たアンテナの位置によっては、いずれかのＲＦタグのアンテナに位相干渉することとなり、空間電磁波エネルギがいずれかのアンテナに偏って吸収され、この無線電磁波を受信できないＲＦタグが存在する場合もある。
【０００８】
本発明は、このような事情に鑑みてなされたもので、近接された状態で配置されても、近接するＲＦタグ同士が電波受信において干渉しない物品管理システム及び方法を提供することを目的とする。
【課題を解決するための手段】
【０００９】
本発明の物品管理システムは、ＲＦタグを管理対象の物品に付加し、リーダにより各ＲＦタグをアクセスして、各物品を個別に管理するシステムであり、前記ＲＦタグがアンテナと、該アンテナにより受信される前記リーダから放射される電波の周波数に同調する同調回路と、該同調回路の出力を検波する検波回路と、前記アンテナから応答信号を発信する送信部とを有し、前記リーダが前記ＲＦタグとのデータの送受信を行う送受信回路と、前記ＲＦタグのタグ識別信号を管理する制御部とを有し、前記ＲＦタグが前記同調回路の同調動作を抑制する抑制手段を有することを特徴とする。
【００１０】
本発明の物品管理システムは、前記抑制手段が、前記ＲＦタグがリーダからのデータを間欠受信する際、受信を休止している期間、前記同調回路の同調動作を抑制することを特徴とする。
【００１１】
本発明の物品管理システムは、前記抑制手段が同調周波数を変化させ、送受信に用いられる電波の周波数に対する同調動作を抑制させることを特徴とする。
【００１２】
本発明の物品管理システムは、前記抑制手段が前記同調回路のＱ値を低下させて、送受信に用いられる電波の周波数に対する同調動作を抑制させることを特徴とする。
本発明の物品管理システムは、前記リーダが、前記ＲＦタグの最大間欠フレーム受信の期間（受信モードの期間）に対して、充分に短い送信データ長にて、前記期間に比較して充分に長い時間、複数回にわたって、同一のアクセス信号を繰り返して発信することを特徴とする。
【００１３】
本発明のＲＦタグは、ＲＦタグを管理対象の物品に付加し、リーダにより各ＲＦタグをアクセスして、各物品を個別に管理する物品管理システムに用いられるＲＦタグであり、アンテナと、該アンテナにより受信される前記リーダから放射される電波の周波数に同調する同調回路と、該同調回路の出力を検波する検波回路と、前記アンテナから内部に記憶される識別情報を発信する送信部とを有し、前記同調回路の同調動作を抑制する抑制手段を有することを特徴とする。
【００１４】
本発明の物品管理方法は、ＲＦタグを管理対象の物品に付加し、リーダにより各ＲＦタグをアクセスして、各物品を個別に管理する物品管理システムを動作させる方法であり、前記ＲＦタグの動作において電波をアンテナにより送受信する送受信過程と、同調回路が該アンテナにより受信される前記リーダから放射される電波の周波数に同調させる同調過程と、検波回路が前記同調回路の出力を検波する検波過程と、送信部が前記アンテナから応答信号を発信する送信過程と、抑制手段が前記同調回路の同調動作を抑制する抑制過程とを有し、前記リーダにおける動作において送受信回路が前記ＲＦタグとのデータの送受信を行う送受信過程と、制御部が前記ＲＦタグのタグ識別信号を管理する制御過程とを有することを特徴とする。
【発明の効果】
【００１５】
以上説明したように、本発明によれば、間欠受信機能を有するＲＦタグにおいて、受信の休止期間に同調回路の動作を抑制するため、他の複数のＲＦタグと近接して配置したとしても、他のＲＦタグとの受信電波の干渉を起こすことが抑制され、各々の受信感度を保ち、封筒やファイルなどの薄くて、近接して保管するものの個別管理を、受信の誤動作を防止することにより、実用的かつ効率的に行うことができるという効果が得られる。
【発明を実施するための最良の形態】
【００１６】
以下、本発明の一実施形態による物品管理システムを図面を参照して説明する。図１は同実施形態の構成例を示すブロック図である。
この図において、ＲＦタグ１は、アンテナ１１，同調回路１２，検波経路１３，制御回路１４及び送信回路１５等から構成されている。
また、リーダ２はアンテナ２１，送受信回路２２，制御回路２３及び記憶回路２４等から構成されている。
【００１７】
同調回路１２は、アンテナが受信する電波（リーダ２が発信するアクセス信号）のうち、設定された同調周波数に対応した周波数帯域の受信信号のみを出力する。
検波回路１３は、同調回路１２から入力される受信信号から、リーダが送信した送信データを抽出して出力する。
【００１８】
制御回路１４は、検波回路１３から入力される送信データから、ＲＦタグ１自身に送信されたデータか否かの検出を、記憶している比較識別番号と、送信データに含まれる識別番号との比較により行う。ここで、制御回路１４は、上記比較識別番号と、送信データに含まれるタグ識別番号とが一致していることを検出した場合、存在していることを示す応答信号を、送信回路１５を介して、アンテナ１１から発信する（電波を空間に放射する）。一方、制御回路１４は、上記比較識別番号と、送信データに含まれるタグ識別番号とが一致していないことを検出した場合、受信動作を停止して、検波回路１３及び同調回路１２を、受信モードから休止モードとする。
【００１９】
上述したモード切替の処理において、制御回路１４は、図２に示すように、受信モードとする動作期間と、休止モードとする休止期間とにおいて、同調回路１２と検波回路１３との受信モード及び休止モードとの切替制御を行う。ここで、制御回路１４は、検波回路１３に対して、駆動電力の供給をスイッチ手段等により制御し、受信モード時に駆動電力を供給し、休止モード時に駆動電力の供給を停止する。
【００２０】
また、制御回路１４は、同調回路１２における同調動作を抑制する抑制手段に対し、休止モードであるか受信モードであるかの制御信号を出力する。
同調回路１２内の抑制手段は、上記制御信号を入力し、この制御信号が受信モードを示す場合、リーダとの送受信に用いられる電波の周波数に同調する状態とし、一方、制御信号が休止モードを示す場合、同調回路のＱ値を大幅に低下させて、同調回路１２が動作しない状態に制御、または同調周波数をずらし、リーダとの送受信に用いられる電波の周波数に同調しない状態とする。
【００２１】
以下、上記同調回路１２の構成について述べる。本実施形態においては、同調回路１２の同調部がコンデンサ１６とリアクタ１７とを直列に接続した構成で説明するが、並列に接続した構成においても同様である。
図３及び図４は、同調部のコンデンサ１６とリアクタ１７との端子の接続部分Ｈを接地し、同調部のＱ値を大幅に低下させる抑制手段を説明するものである。
図３は、抑制手段にダイオード１８Ａを用い、接続部分Ｈとダイオード１８Ａのアノードとを接続し、ダイオード１８Ａのカソードに対し、制御回路１４からの制御信号が入力されるようにする。
【００２２】
すなわち、ダイオード１８Ａのカソードと、制御回路１４の制御信号を出力する制御端子とを接続する。制御回路１４は、受信モードの場合、制御信号として、制御端子から「Ｈ」レベルの信号を出力し、一方、休止モードの場合、制御信号として、制御端子から「Ｌ」レベル（接地電圧）を出力する。
これにより、同調回路１２は、受信モードの際、設定された同調周波数に対応する周波数の信号を検波回路１３に伝達するが、休止モードの際、アンテナ１１を介して入力された受信信号がリアクタンス１７に到達せず、Ｑ値が大幅に低下し、同調の動作が行われない。このため、他の動作しているＲＦタグ１と空間電磁波エネルギを分配したり、空間電磁波エネルギ全体を吸収したりし、他のＲＦタグ１との受信動作における干渉を起こすことはない。
【００２３】
また、同調回路１２の構成において、図５及び図６に示すように、抑制手段としてコンデンサ１６またはリアクタ１７いずれかの両端をスイッチにより短絡する構成として、同調部のＱ値を低下させる構成としても良い。上記スイッチとしてはトランジスタ、図５及び図６に示すように、特にＭＯＳトランジスタ（１８Ｃ，１８Ｄ）を用いる構成が考えられる。
図５においては、ＭＯＳトランジスタ１８Ｃがコンデンサ１６と並列に、抑制手段として接続されている。制御回路１４は、ＭＯＳトランジスタ１８Ｃがｎチャネル型の場合、受信モード時にＭＯＳトランジスタ１８Ｃをオフ状態とし、同調部が高いＱ値で動作するよう制御信号を「Ｌ」レベル、一方、休止モード時にＭＯＳトランジスタ１８Ｃをオン状態とし、コンデンサ１６の両端をバイパスして短絡状態としＱ値を低下させるために、制御信号を「Ｈ」レベルとする。
【００２４】
また、制御回路１４は、ＭＯＳトランジスタ１８Ｃがｐチャネル型の場合、受信モード時にＭＯＳトランジスタ１８Ｃをオフ状態とし、同調部が高いＱ値で動作するよう制御信号を「Ｈ」レベル、一方、休止モード時にＭＯＳトランジスタ１８Ｃをオン状態とし、コンデンサ１６の両端をバイパスして短絡状態としＱ値を低下させるために、制御信号を「Ｌ」レベルとする。
【００２５】
図６においては、ＭＯＳトランジスタ１８Ｄがリアクタ１７と並列に、抑制手段として接続されている。制御回路１４は、ＭＯＳトランジスタ１８Ｄがｎチャネル型の場合、受信モード時にＭＯＳトランジスタ１８Ｄをオフ状態とし、同調部が高いＱ値で動作するよう制御信号を「Ｌ」レベル、一方、休止モード時にＭＯＳトランジスタ１８Ｄをオン状態とし、リアクタ１７の両端をバイパスして短絡状態としＱ値を低下させるために、制御信号を「Ｈ」レベルとする。
【００２６】
また、制御回路１４は、ＭＯＳトランジスタ１８Ｄがｐチャネル型の場合、受信モード時にＭＯＳトランジスタ１８Ｄをオフ状態とし、同調部が高いＱ値で動作するよう制御信号を「Ｈ」レベル、一方、休止モード時にＭＯＳトランジスタ１８Ｄをオン状態とし、リアクタ１７の両端をバイパスして短絡状態としＱ値を低下させるために、制御信号を「Ｌ」レベルとする。
【００２７】
また、同調回路１２の構成において、図７及び図８に示すように、抑制手段としてコンデンサ１６を容量値を変更することができる可変コンデンサ、またはリアクタ１７をリアクタンスを変更することができる可変リアクタを用いても良い。例えば、制御信号が「Ｈ」レベルのとき、受信モードとして、リーダが送受信に用いる電波の周波数に対し、同調周波数が同様となる数値となり、制御信号が「Ｌ」レベルのとき、休止モードとして、リーダが送受信に用いる電波の周波数に対し、同調周波数が異なる数値となるようにする構成が考えられる。
【００２８】
図７（ａ）においては、コンデンサ１６を、容量値が可変となる可変コンデンサ１６Ａに変更し、制御信号により容量値を変更するようにしている。この可変コンデンサ１６Ａの構成としては、例えば図７（ｂ）に示すように、同調部の同調周波数をリアクタ１７との組合せにおいて、リーダが送受信に使用する電波の周波数と同様の同調周波数とする容量値を有するコンデンサ１６と、このコンデンサ１６と同様の容量値を有するコンデンサ１６Ｂとを直列に接続し、このコンデンサ１６Ｂと並列にＭＯＳトランジスタ１６Ｃを接続して構成しても良い。このコンデンサ１６ＢとＭＯＳトランジスタ１６Ｃとが抑制手段を構成する。
【００２９】
これにより、ＭＯＳトランジスタ１６Ｃをｎチャネル型とすると、制御信号が「Ｈ」レベルのとき、ＭＯＳトランジスタ１６Ｃがオン状態となり、コンデンサ１６Ｂがバイパスされることにより同調回路から分離され、受信モードとして、リーダが送受信に用いる電波の周波数に対し、同調周波数が同様となる数値となり、制御信号が「Ｌ」レベルのとき、ＭＯＳトランジスタ１６Ｃがオフ状態となり、容量値がコンデンサ１６及びコンデンサ１６Ｂの組み合わせた数値となり、休止モードとして、リーダが送受信に用いる電波の周波数に対し、同調周波数が異なる数値となる。
【００３０】
また、図８（ａ）においては、リアクタ１７を、容量値が可変となる可変リアクタ１７Ａに変更し、制御信号によりリアクタンス値を変更するようにしている。この可変リアクタ１７Ａの構成としては、例えば図８（ｂ）に示すように、同調部の同調周波数をコンデンサ１６との組合せにおいて、リーダが送受信に使用する電波の周波数と同様の同調周波数とするリアクタンス値を有するリアクタ１７と、このリアクタ１７と同様のリアクタンス値を有するリアクタ１７Ｂとを直列に接続し、このリアクタ１７Ｂと並列にＭＯＳトランジスタ１７Ｃを接続して構成しても良い。このリアクタ１７ＢとＭＯＳトランジスタ１７Ｃとが抑制手段を構成する。
【００３１】
これにより、ＭＯＳトランジスタ１７Ｃをｎチャネル型とすると、制御信号が「Ｈ」レベルのとき、ＭＯＳトランジスタ１７Ｃがオン状態となり、リアクタ１７Ｂがバイパスされることにより同調回路から分離され、受信モードとして、リーダが送受信に用いる電波の周波数に対し、同調周波数が同様となる数値となり、制御信号が「Ｌ」レベルのとき、ＭＯＳトランジスタ１７Ｃがオフ状態となり、リアクタンス値がリアクタ１７及びリアクタ１７Ｂの組み合わせた数値となり、休止モードとして、リーダが送受信に用いる電波の周波数に対し、同調周波数が異なる数値となる。
【００３２】
図１に戻り、リーダ２における記憶回路２４には、物品の固有の識別番号と、ＲＦタグ１の固有の識別番号とが対応付けて記憶されている。
制御部２３は、図示しないインターフェース部から入力される入力データに従い、記憶回路２４へ、物品の固有の物品識別番号と、ＲＦタグ１の固有のタグ識別番号とを対応付けて記憶させる記憶処理、入力された物品識別番号に対応するタグ識別番号のＲＦタグ１にアクセス信号を送受信回路２２を介してアンテナ２１から発信させるアクセス処理などを行う。
【００３３】
次に、本実施形態による物品管理システムの動作を図１及び図２を参照して説明する。例として、現金書留を配達した際、受取人が不在であり、郵便局で一時現金書留を管理する場合を例にとり説明する。局員は、配達時に受取人が不在であった現金書留の不在通知番号とＲＦタグの識別番号とを対応付け、リーダ２の記憶部２４に記憶させる。そして、局員は、そのＲＦタグ１を現金書留の封筒にクリップなどにより添付（付加）し、保管箱に現金書留の封筒を順次立たせて並べ、他の複数の現金書留と近接する状態にて保管する。
ここで、各現金書留の封筒に添付されたＲＦタグ１は、間欠的に受信状態となる動作を各々行っている。
【００３４】
次に、不在であった受取人が現金書留を受取に来た際、局員は、この受取人の公的に有効な身分証明書を確認した後、受取人から不在者通知書を受け取る。
そして、局員は、リーダ２に対して、不在者通知書に記載されている物品識別番号を入植して、検出命令を入力する。
これにより、制御部２３は、入力される物品識別番号に対応するタグ識別番号を、記憶部２４から検索して、検出されたタグ識別番号を含むアクセス信号を送受信回路２２及びアンテナ２１を介して発信する。
【００３５】
各ＲＦタグ１においては、内部の制御回路１４により、周期的に受信モードと休止モードとが繰り返されているが、リーダ２から複数回発信される同一のアクセス信号のいずれかを、受信モードの際に、受信モードにある同調回路１２により受信され、受信信号が検波回路１４へ出力される。これにより、休止モードにあるＲＦタグ１の同調回路１２は、すでに述べたように、Ｑ値が大幅に低下しているか、同調周波数がリーダ２が送受信に使用している電波の周波数と異なる値に変更されている。このため、休止モードのＲＦタグ１の同調回路１２は、同調動作を行わず、近接する他のＲＦタグ１の送受信に対して干渉することがなく、応答不能となるＲＦタグ１が発生することを防止できる。したがって、本実施形態のＲＦタグ１を用いることにより、近接して保管される物品に添付したとしても、リーダ２と各ＲＦタグ１との間の通信感度が高く、効率的な物品の管理を行うことができる。
【００３６】
そして、制御回路１４は、検波回路１３から入力される受信データに含まれるタグ識別番号と、内部に記憶する比較識別番号とを比較し、一致していないことを検出した場合、即座に受信モードから休止モードに、ＲＦタグ１の受信状態を変更する。
一方、制御回路１４は、タグ識別番号と比較識別番号とが一致することを検出した場合、送信回路１５及びアンテナ１１を介して応答信号を発信するとともに、図示しないＬＥＤ（Light Emitting Diode）ランプを点灯させて、保管箱における複数のＲＦタグ１のなかで、自身のＲＦタグ１の位置を、局員に対して通知する。
これにより、局員は、管理箱のなかから、ＬＥＤランプが点灯しているＲＦタグ１を探すことにより、リーダ２に入力した物品識別番号に対応する現金書留の封筒を、効率的に検索することができる。
【００３７】
また、ランダム周期において、間欠受信している複数のＲＦタグ１が同時に、リーダライタ２が発信するアクセス信号を受信する際、実際にアクセスされているタグ識別番号に対応するＲＦタグ１がアクセス信号の受信においてデータ欠落が起こる可能性がある。
このため、リーダライタ２は、ＲＦタグ１におけるランダム周期の最大間欠フレーム受信の期間（受信モードの期間）に対して、充分に短い送信データ長にて、複数回にわたって、同一のアクセス信号を繰り返して発信する必要がある。
【００３８】
すなわち、本実施形態においては、リーダライタ２は、２．４ｋｂｐｓ（約４００μｓ／bit）にて３２bit（１送信フレーム時間として、スタートアイドリングデータとＣＲＣとを含めて２５msec）でアクセス信号を、ＲＦタグ１の最大間欠フレーム受信の期間の最大値（例えば、７００msec）内において、対応するＲＦタグ１がアクセス信号を受信可能とするため、複数回（何度も）にわたり同一のアクセス信号を２．８秒間（送信データフレーム時間として）発信し続ける。これにより、隣接して置かれたＲＦタグ１相互にてアンテナ干渉が起きるＲＦタグの数を４つとしたとき、最悪の場合、この４つが同時受信し、最後に対応するＲＦタグ１がアクセス信号を受信するとしても、対応するＲＦタグ１がアクセス信号を受信できる充分な送信フレームのマージンを与えることができる。
【００３９】
すなわち、本実施形態のリーダライタ２は、最大間欠フレーム受信の期間（受信モードの期間）に対して、充分に短い送信データ長にて、最大間欠フレーム受信の期間に比較して充分に長い時間、複数回にわたって、同一のアクセス信号を繰り返して発信する。
上記充分に長い時間は、例えば、ＲＦタグ１の最大間欠フレーム受信の期間の最大値Ｔ（秒）の所定倍、すなわち同時に受信モードとなる隣接してアンテナ干渉を起こすＲＦタグ１がｎ個と仮定した場合、Ｔ×ｎまたはそれ以上の値として設定する。
【００４０】
これにより、リーダライタ２が送信データフレーム時間内に同一アクセス信号を複数回発信することにより、ＲＦタグ１が受信モードとなり、間欠受を開始したとき、繰り返して発信されているアクセス信号のいずれかを受信し始め、アクセス信号におけるタグ識別番号を受信すると、アクセス信号のタグ識別番号が自身であることを検出した場合（自身が宛先であると識別した場合）、この該当するＲＦタグ１はアクセス信号の全てを受信し、一方、受信したアクセス信号におけるタグ識別番号が自身と異なることを検出したタイミング（自身が宛先でないと識別したタイミング）にて、受信を中止して休止モードとなり、無駄な消費電力を抑制する。
上述したように、リーダライタ２（制御回路２３）は、複数回、各ＲＦタグ１におけるランダム間欠受信間隔に対して、充分に長いデータ送信を繰り返すことにより、複数のＲＦタグ１が同時に受信した際に起こる欠落受信をリカバーすることができる。
【００４１】
なお、図１におけるＲＦタグ１の制御回路及びタグ２の制御回路２４各々の機能を実現するためのプログラムをコンピュータ読み取り可能な記録媒体に記録して、この記録媒体に記録されたプログラムをコンピュータシステムに読み込ませ、実行することによりＲＦタグ１及リーダ２の制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４３】
【図１】本発明の一実施形態による物品管理システムの構成例を示すブロック図である。
【図２】図１のＲＦタグ１の制御回路１４によるＲＦタグの受信状態の変更処理を説明するタイミングチャートである。
【図３】図１における同調回路１２の構成例を示すブロック図である。
【図４】図１における同調回路１２の他の構成例を示すブロック図である。
【図５】図１における同調回路１２の他の構成例を示すブロック図である。
【図６】図１における同調回路１２の他の構成例を示すブロック図である。
【図７】図１における同調回路１２の他の構成例を示すブロック図である。
【図８】図１における同調回路１２の他の構成例を示すブロック図である。
【図９】従来例によるＲＦタグの問題点を説明する概念図である。
【符号の説明】
【００４４】
１…ＲＦタグ
２…リーダ
１１，２１…アンテナ
１２…同調回路
１３…検波回路
１４，２３…制御回路
１５…送信回路
１６，１６Ｂ…コンデンサ
１６Ａ…可変コンデンサ
１６Ｃ，１７Ｃ，１８Ａ，１８Ｂ，１８Ｃ，１８Ｄ…ＭＯＳトランジスタ
１７，１７Ｂ…リアクタ
１７Ａ…可変リアクタ
２２…送受信回路
２４…記憶回路
【図１】
2007213117.tif 000003
【図２】
2007213117.tif 000004
【図３】
2007213117.tif 000005
【図４】
2007213117.tif 000006
【図５】
2007213117.tif 000007
【図６】
2007213117.tif 000008
【図７】
2007213117.tif 000009
【図８】
2007213117.tif 000010
【図９】
2007213117.tif 000011